(57)【要約】【課題】可動部材に発光体を設けることなく、該可動部材を発光させて演出を行ない得る可動演出装置を備えた遊技機を提供する。【解決手段】駆動モータが配設されるベース部材４１と、ベース部材４１に回転可能に軸支され、駆動モータの駆動により回転される可動部材７０と、可動部材７０に設けられ、該可動部材７０の回転軸７０ａに対して交差方向に位置する光透過部７３と、ベース部材４１に設けられ、前後方向に開口する発光体収容部６７が可動部材７０の回転方向に離間して位置するよう複数形成された区画部材６１と、区画部材６１に形成された各発光体収容部６７の開口部を介して前方に光を照射するＬＥＤ５９と、発光体収容部６７の開口部に臨み、ＬＥＤ５９の光を可動部材７０の回転軸７０ａに交差する方向に反射する第１反射面７８と、第１反射面７８で反射された光を光透過部７３に向けて反射する第２反射面８２ａとを備えた。【選択図】図１９
2011015755.tif 000002
【特許請求の範囲】
【請求項１】
動作により演出を行なう可動演出装置を備えた遊技機であって、
前記可動演出装置は、
駆動手段が配設されるベース部材と、
前記ベース部材に回転可能に軸支され、前記駆動手段の駆動により回転される可動部材と、
前記可動部材に設けられ、該可動部材の回転軸に対して交差方向に位置する光透過部と、
前記ベース部材に設けられ、前記可動部材の回転軸の延在方向に開口する発光体収容部が該可動部材の回転方向に離間して位置するよう複数形成された区画部材と、
前記区画部材に形成された各発光体収容部に対応して配設され、該発光体収容部の開口部を介して前記可動部材の回転軸の延在方向に光を照射する発光体と、
前記可動部材に設けられて前記発光体収容部の開口部に臨み、前記発光体の光を可動部材の回転軸に交差する方向に反射する第１反射部と、
前記可動部材に設けられ、前記第１反射部で反射された光を前記光透過部に向けて反射する第２反射部とを備えた
ことを特徴とする遊技機。
【請求項２】
前記可動部材は、前記光透過部と第２反射部との間に透明部材が配設されて、該透明部材における第２反射部との対向面側に光拡散部が形成されると共に、当該透明部材の端面が前記第１反射部に対向するよう構成された請求項１記載の遊技機。
【請求項３】
前記第２反射部および透明部材における前記光拡散部の形成面は、前記第１反射部に近接する端部から離間するにつれて前記光透過部側に近接するよう傾斜形成される請求項２記載の遊技機。
【請求項４】
前記第２反射部は、前記第１反射部から離間するにつれて前記光透過部側に近接するよう傾斜する反射面が、該第１反射部からの反射光の照射方向に複数形成されると共に、該反射面の光透過部側の端部から光透過部までの距離を、第１反射部から離間するにつれて漸減させるようにした請求項２または３記載の遊技機。
【発明の詳細な説明】
【技術分野】
【０００１】
この発明は、動作により演出を行なう可動演出装置を備える遊技機に関するものである。
【背景技術】
【０００２】
代表的な遊技機であるパチンコ機は、機内にセットされる遊技盤の盤面に画成した遊技領域に装飾部材が配設され、該装飾部材に形成した開口部に、機裏側に配設した液晶式やドラム式等の図柄表示装置の表示部を臨ませ、この図柄表示装置において図柄組み合わせゲームやリーチ演出等を表示して遊技演出を行なうようになっている。また特許文献１に記載されるように、前記装飾部材に、所要の動作を行なう可動部材を備えた可動演出装置を配設し、該可動部材を前記図柄表示装置で行なわれる遊技演出に合わせて動作させることにより、視覚的な演出効果を向上させ、遊技の興趣を高めるようにしたパチンコ機も知られている。そして特許文献１に記載されたパチンコ機では、前記可動部材に対してＬＥＤ等からなる発光体を配設することで、可動部材による動作演出だけでなく、該可動部材の動作に合わせて発光体の発光態様を変化させることにより、視覚的な演出効果を向上させ、遊技の興趣をより一層高め得るよう構成されている。
【先行技術文献】
【特許文献】
【０００３】
【特許文献１】特開２００７−５４１４０号公報
【発明の概要】
【発明が解決しようとする課題】
【０００４】
ところで、特許文献１に記載されたパチンコ機では、可動部材に配設した発光体を発光することで、該可動部材に設けたカバー部材を照明するよう構成されているため、カバー部材と発光体との間の距離が短いと、カバー部材に光の濃淡が現れ、可動部材の見栄えが低下するばかりでなく、カバー部材の全体を照明するために多数の発光体が必要となってコストが嵩む問題がある。また、前記可動部材に発光体が設けられているため、発光体の数が増加すると、可動部材の大型化や重量の増大を招来することになる。このため、可動部材を駆動する駆動手段も大型のものを採用する必要が生じ、設置スペース上の問題が生ずると共に、コストの増大を招来する。また、発光体に電源を供給するための配線を可動部材に接続しておく必要があり、可動部材の動作時に配線の絡まりや挟み込みを防止する構成を必要とし、設計上の制約が大きくなると共に、コストの増大を招来する。
【０００５】
そこで本発明は、従来の技術に係る遊技機に内在する前記課題に鑑み、これを好適に解決するべく提案されたものであって、可動部材に発光体を設けることなく、該可動部材を発光させて演出を行ない得る可動演出装置を備えた遊技機を提供することを目的とする。
【課題を解決するための手段】
【０００６】
前記課題を克服し、所期の目的を達成するため、本願の請求項１に係る遊技機は、
動作により演出を行なう可動演出装置(40)を備えた遊技機であって、
前記可動演出装置(40)は、
駆動手段(50)が配設されるベース部材(41)と、
前記ベース部材(41)に回転可能に軸支され、前記駆動手段(50)の駆動により回転される可動部材(70)と、
前記可動部材(70)に設けられ、該可動部材(70)の回転軸(70a)に対して交差方向に位置する光透過部(73)と、
前記ベース部材(41)に設けられ、前記可動部材(70)の回転軸(70a)の延在方向に開口する発光体(59)収容部(67)が該可動部材(70)の回転方向に離間して位置するよう複数形成された区画部材(61)と、
前記区画部材(61)に形成された各発光体(59)収容部(67)に対応して配設され、該発光体(59)収容部(67)の開口部を介して前記可動部材(70)の回転軸(70a)の延在方向に光を照射する発光体(59)と、
前記可動部材(70)に設けられて前記発光体(59)収容部(67)の開口部に臨み、前記発光体(59)の光を可動部材(70)の回転軸(70a)に交差する方向に反射する第１反射部(78)と、
前記可動部材(70)に設けられ、前記第１反射部(78)で反射された光を前記光透過部(73)に向けて反射する第２反射部(82)とを備えたことを要旨とする。
【０００７】
このように、可動部材を支持するベース部材側に設けられた区画部材の発光体収容部に発光体を収容して、発光体の光を第１反射部により可動部材の回転軸に交差する方向に反射すると共に、該第１反射部で反射された光を可動部材に設けた光透過部に向けて第２反射部が反射するよう構成したことで、発光体を発光させれば可動部材の光透過部を明輝することができる。すなわち、可動部材に発光体を設けることなく該可動部材を発光させ得るから、可動部材の軽量化や小型化を図り得ると共に、発光体に接続する配線の絡まりや断線を防止することができる。また、前記発光体収容部を前記区画部材に対して前記可動部材の回転方向に離間して位置するよう複数形成し、該発光体収容部の開口部に前記可動部材の第１反射部が臨むよう構成したから、可動部材を回転させても、第１反射部が臨む発光体収容部に収容された発光体を発光するだけで可動部材を明輝させることができる。更に、発光体から照射される光を第１反射部で可動部材に沿う方向に反射し、該反射光を第２反射部で光透過部に反射するようにしたから、少ない発光体により可動部材の光透過部の全体を照明することができ、光の濃淡が現れるのを防止して、光透過部を略均一の明るさで明輝することができる。
【０００８】
本願の請求項２に係る遊技機は、前記可動部材(70)は、前記光透過部(73)と第２反射部(82)との間に透明部材(85)が配設されて、該透明部材(85)における第２反射部(82)との対向面側に光拡散部(85a)が形成されると共に、当該透明部材(85)の端面が前記第１反射部(78)に対向するよう構成されたことを要旨とする。
【０００９】
このように、第１反射部で反射された光を透明部材に入射させて、該透明部材の光拡散部で拡散された光を第２反射部で光透過部に向けて反射するよう構成したことで、可動部材の光透過部の全体を、より均一な明るさで明輝することが可能となる。
【００１０】
本願の請求項３に係る遊技機は、前記第２反射部(82)および透明部材(85)における前記光拡散部(85a)の形成面は、前記第１反射部(78)に近接する端部から離間するにつれて前記光透過部(73)側に近接するよう傾斜形成されることを要旨とする。
【００１１】
このように、第２反射部および透明部材における前記光拡散部の形成面は、前記第１反射部に近接する端部から離間するにつれて前記光透過部側に近接するよう傾斜させたことで、該第１反射部で反射された光が第２反射部および透明部材における前記光拡散部の全体に均一に照射することができ、可動部材の光透過部の全体を、より均一な明るさで明輝することが可能となる。
【００１２】
本願の請求項４に係る遊技機は、前記第２反射部(82)は、前記第１反射部(78)から離間するにつれて前記光透過部(73)側に近接するよう傾斜する反射面(82a)が、該第１反射部(78)からの反射光の照射方向に複数形成されると共に、該反射面(82a)の光透過部(73)側の端部から光透過部(73)までの距離を、第１反射部(78)から離間するにつれて漸減させるようにしたことを要旨とする。
【００１３】
このように、第１反射部から離間するにつれて前記光透過部側に近接するよう傾斜する第２反射部としての反射面を、該第１反射部からの反射光の照射方向に複数形成し、反射面の光透過部側の端部から光透過部までの距離を、第１反射部から離間するにつれて漸減させたことで、可動部材の光透過部の全体に、該第２反射部の反射面で反射された光を照射できる。
【発明の効果】
【００１４】
本発明に係る遊技機によれば、可動部材に発光体を設けることなく、該可動部材を発光させて演出を行なうことが可能となる。
【図面の簡単な説明】
【００１５】
【図１】本発明の実施例に係るパチンコ機を示す正面図である。
【図２】実施例に係るパチンコ機の遊技盤を示す正面図である。
【図３】実施例に係る遊技盤の分解斜視図である。
【図４】実施例に係る遊技盤の裏ユニットを示す正面図であって、可動演出装置、球排出装置および装飾部材の一部を取り付けた状態で示す。
【図５】実施例に係る可動演出装置を示す正面図であって、可動部材が初期位置にある状態を実線で示し、可動部材が可動位置にある状態を２点鎖線で示す。
【図６】実施例に係る可動演出装置の分解斜視図である。
【図７】実施例に係る区画部材を示す斜視図であって、(a)は正面側から視た状態を示し、(b)は背面側から視た状態を示す。
【図８】実施例に係る可動演出装置を、可動部材を取り外した状態で示す正面図である。
【図９】実施例に係る可動演出装置の可動部材の動作を示す背面図であって、(a)は可動部材が初期位置にある状態を示し、(b)は可動部材が可動位置にある状態を示す。
【図１０】実施例に係る可動部材と、第１および第２反射部材と、透明部材との関係を正面側から視た状態で示す分解斜視図である。
【図１１】実施例に係る可動部材と、第１および第２反射部材と、透明部材との関係を背面側から視た状態で示す分解斜視図である。
【図１２】(a)は、可動部材の正面図であり、(b)は、可動部材に第１反射部材を取り付けた状態で示す背面図であって、(c)は、(a)に示すＡ−Ａ線断面図である。
【図１３】実施例に係る可動部材と、第１および第２反射部材と、透明部材とを分解して示す断面図である。
【図１４】実施例に係る第２可動部材を拡大して示す断面図である。
【図１５】実施例に係る第１反射面と第１のＬＥＤとの関係を、可動部材の回転位置の関係で示す要部拡大図であって、可動部材が初期位置にある状態を２点鎖線で示す。
【図１６】実施例に係る第１反射面と第１のＬＥＤとの関係を、可動部材の回転位置の関係で示す要部拡大図であって、可動部材が可動位置にある状態を２点鎖線で示す。
【図１７】実施例に係る第１反射面と第１のＬＥＤとの関係を、可動部材の回転位置の関係で示す要部拡大図であって、可動部材が初期位置と可動位置との中間位置にある状態を２点鎖線で示す。
【図１８】実施例に係る第１反射面と第１のＬＥＤとの関係を、可動部材の回転位置の関係で示す要部拡大図であって、第１反射面が仕切り壁と前後に重なる位置に可動部材が回転した状態を２点鎖線で示す。
【図１９】実施例に係る可動部材が初期位置と可動位置との中間位置にある状態で縦断した要部拡大断面図である。
【図２０】変更例に係る可動部材が初期位置と可動位置との中間位置にある状態で縦断した要部拡大断面図である。
【図２１】変更例に係る可動部材が初期位置と可動位置との中間位置にある状態で縦断した要部拡大断面図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機について)
実施例に係るパチンコ機１０は、図１に示すように、前後に開口する矩形枠状に形成されて遊技店の図示しない設置枠台に固定される固定枠としての外枠１１の開口前面側に、後述する遊技盤２０(図２または図３参照)を着脱可能に保持する本体枠としての中枠１２が開閉および着脱可能に組み付けられて、該遊技盤２０の裏側に対して、各種図柄を変動表示可能な図柄表示装置１７が着脱可能に配設されている。また、前記中枠１２の前面側には、前記遊技盤２０を透視保護するガラス板(図示せず)を備えた装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。また、前記中枠１２の右下方位置には、該中枠１２に配設された打球発射装置(図示せず)を作動する操作ハンドル１６が設けられており、該操作ハンドル１６の操作により打球発射装置が作動することで、前記上球受け皿１４に貯留されたパチンコ球が前記遊技盤２０に向けて発射されるようになっている。ここで、前記上球受け皿１４は、前記前枠１３と別体に形成して中枠１２に対して開閉可能に組み付けるようにしてもよい。
【００１８】
(遊技盤２０について)
前記中枠１２の遊技盤２０保持部に配設される前記遊技盤２０は、図２〜図３に示すように、アクリルやポリカーボネート等の光透過性の合成樹脂材からなる平板状の透明板２１と、該透明板２１の後面に組み付けられると共に裏側に前記図柄表示装置１７が着脱可能に配設される不透明な合成樹脂材で形成された裏ユニット３５とから構成され、該裏ユニット３５に形成された前後に開口する開口部３５ａ(図３または図４参照)を介して図柄表示装置１７を前面側から視認し得るよう構成されている。ここで、裏ユニット３５に形成される開口部３５ａは、該裏ユニット３５の上下および左右幅の大部分が開口する大型の開口であって、該開口部３５ａの周囲に、各種の装飾部材３６や球排出装置３７、可動演出装置４０(後述)等が配設されている。なお、実施例の透明板２１は、アクリル樹脂により一定の厚み寸法の平板状に形成されている。ここで、前記透明板２１および裏ユニット３５は、外郭形状が略整合する大きさおよび形状に形成されて、該透明板２１と裏ユニット３５とを組み付けた状態で透明板２１の後面を裏ユニット３５で全面的に覆うよう構成され、前側から遊技盤２０(裏ユニット３５)の裏側を視認し得ないようになっている。
【００１９】
(透明板２１について)
図１または図２に示すように、前記透明板２１の前面には、外レール２２ａと内レール２２ｂとが配設されており、両レール２２ａ,２２ｂより画成される略円形の遊技領域２３内に、前記中枠１２に配設された前記打球発射装置から発射されたパチンコ球が打ち出されて、打ち出されたパチンコ球が遊技領域２３を流下することで遊技が行なわれるようになっている。なお、打球発射装置から発射されたパチンコ球は、両レール２２ａ,２２ｂに誘導されて遊技領域２３の左上部位置に打ち出されるようになっている。また、前記透明板２１には、前記裏ユニット３５に形成された開口部３５ａの前方位置に、前後に貫通する貫通口２１ａ(図３参照)が形成されており、該貫通口２１ａに対して前後に開口する枠状に形成された枠状装飾体２８が配設されている。
【００２０】
すなわち、前記裏ユニット３５の開口部３５ａから臨む前記図柄表示装置１７は、前記枠状装飾体２８の開口を介して透明板２１の前側に露出して、該図柄表示装置１７に表示される図柄変動演出や各種の表示演出をパチンコ機１０の前側から視認し得るようになっている。また透明板２１には、図３に示す如く、前記貫通口２１ａ(枠状装飾体２８の配設位置)の下方位置における透明板２１の左右方向の略中央位置に、前後に開口する装着口２１ｂが開設されており、前記遊技領域２３を流下するパチンコ球が入賞可能な始動入賞装置２４や第１の特別入賞装置２５が、該装着口２１ｂを介して透明板２１に取り付けられている。なお、実施例では、前記始動入賞装置２４の下方に第１の特別入賞装置２５が位置している。
【００２１】
(始動入賞装置２４について)
前記始動入賞装置２４は、上方に開口する上入賞口２４ａと、該上入賞口２４ａの下方に位置する下入賞口２４ｂと、該下入賞口２４ｂを挟む左右両側に設けられ、当該下入賞口２４ｂを開閉する一対の羽根部材２４ｃ,２４ｃとを備えて、上下の入賞口２４ａ,２４ｂにパチンコ球が入賞することで、前記図柄表示装置１７において図柄変動演出が開始されるよう構成される。なお、実施例では、前記上下の入賞口２４ａ,２４ｂにパチンコ球が入賞した場合には、所定数(例えば３〜５個)のパチンコ球が賞球として前記上下の球受け皿１４,１５に払い出されるようになっている。そして、図柄変動演出の結果、図柄表示装置１７に所定の図柄組み合わせ(例えば同一図柄の三つ揃い等)で図柄が停止表示されることで所謂「大当り」が発生し、これにより第１の特別入賞装置２５や第２の特別入賞装置３１(後述)が開放されて多数の賞球を獲得する機会が遊技者に付与されると共に、前記図柄表示装置１７において所要の大当り演出が行なわれるようになっている。
【００２２】
(第１の特別入賞装置２５について)
前記第１の特別入賞装置２５は、特別入賞口２５ａが開閉扉２５ｂにより常には閉鎖されており、前記図柄表示装置１７での図柄変動の結果「大当り」が発生した際に開閉扉２５ｂが開放して(図２参照)、特別入賞口２５ａへの入賞により多数の賞球を獲得し得るようになっている。実施例では、前記第１の特別入賞装置２５では、前記図柄表示装置１７１７に所定の図柄組み合わせが停止して大当りが発生すると、所定時間(例えば３０秒)の開放を１回とするラウンド遊技を複数回(例えば１５回)繰り返すよう作動制御される。
【００２３】
(枠状装飾体２８について)
図２または図３に示すように、前記枠状装飾体２８は、前後に開口する枠状に形成されて、前記遊技盤２０(透明板２１)に開設した前記貫通口２１ａに取り付けられており、前記裏ユニット３５に配設された図柄表示装置１７が枠状装飾体２８の開口部に臨んで前側から視認し得るようになっている。そして、前記枠状装飾体２８の内周下縁部に、パチンコ球が転動するステージ２９が形成されており、該枠状装飾体２８の左側部に形成された球入口２８ａに通入したパチンコ球がステージ２９を転動して遊技領域２３に排出落下されるよう構成されている。また、図１〜図３に示すように、前記枠状装飾体２８の上部位置には、前記図柄表示装置１７での図柄の変動結果に応じて開放することで前記遊技領域２３を流下するパチンコ球が入賞可能な第２の特別入賞装置３１が設けられている。
【００２４】
(第２の特別入賞装置３１について)
前記第２の特別入賞装置３１は、前記枠状装飾体２８の上部位置に、左方向に開口するよう開設された特別入賞口３１ａをフラップ状の開閉部材３１ｂにより閉鎖するよう構成されており、該開閉部材３１ｂが左方向に傾倒することで、該特別入賞口３１ａが遊技領域２３内に開口するようになっている。前記第２の特別入賞装置３１の特別入賞口３１ａは、前記開閉部材３１ｂにより常には閉鎖されており、前記図柄表示装置１７での図柄変動の結果、前記第１の特別入賞装置２５の開閉扉２５ｂを開放させる前記所定の図柄組み合わせ以外の特定の図柄組み合わせ(例えば同一図柄の三つ揃いや予め設定された特定の図柄の停止表示等)が図柄表示装置１７に停止表示されることで発生する「大当り」により、該開閉部材３１ｂを開放するよう作動制御されて、入賞口へのパチンコ球の入賞を許容するようになっている。そして、前記第２の特別入賞装置３１の特別入賞口３１ａに入賞したパチンコ球を球検出センサ(図示せず)が検出することで、遊技者が多数の賞球を獲得し得るようになっている。また、大当り(後述する特別開放大当り)が発生すると、前記図柄表示装置１７の表示面において、前記第１の特別入賞装置２５が開放する大当りの時とは異なった特別開放大当り演出が表示されるよう表示制御されている。
【００２５】
すなわち、実施例に係るパチンコ機１０では、「大当り」の発生時に開放可能な２つの特別入賞装置２５,３１が配設されており、「大当り」の発生条件に応じて、第１の特別入賞装置２５および第２の特別入賞装置３１の何れかの入賞口が開放されるようになっている。例えば、「大当り」の発生時における図柄組み合わせの種類(偶数、奇数)に応じて第１の特別入賞装置２５および第２の特別入賞装置３１の何れかの入賞口が開放するよう作動制御される。ここで、前記第２の特別入賞装置３１は、枠状装飾体２８の左上部位置に設けられていることから、前記第１の特別入賞装置２５に較べて、遊技領域２３の左上部に打ち出されたパチンコ球が入賞し易くなっている。また、第２の特別入賞装置３１に入賞せずに、遊技領域２３の最下部まで流下して回収されるパチンコ球も減少する。
【００２６】
また、前記第２の特別入賞装置３１が開放される大当りとして、所定時間(例えば２．６秒)の開放を連続して複数回(例えば１６回)行なうラウンド遊技を１〜３回の内の何れかの回数だけ実行される「特別開放大当り」と、短時間(例えば０．５秒)の開放を２回だけ行なう「２ラウンド大当り」とが設定されている。従って、実施例では、大当りにおける第２の特別入賞装置３１の開放回数は、２回、１６回、３２回、４８回の何れかとなる。なお、「特別開放大当り」の発生時に、第２の特別入賞装置３１の開放回数が１６回となるか３２回となるか、４８回となるかは、図柄表示装置１７の表示態様から区別することは困難または不可能としてある。また、「特別開放大当り」の発生と、「２ラウンド大当り」の発生については、図柄表示装置１７に表示される表示態様により区別し得るよう設定されている。なお、「特別開放大当り」では、ラウンド遊技の間に所定時間(例えば１秒)のインターバルが設定されている。ここで、前記図柄表示装置１７は、前記ラウンド遊技間のインターバル中にラウンド遊技の継続を演出するラウンド継続演出が特別開放大当り演出として表示されるよう表示制御される。なお、特別開放大当り時のラウンド遊技の回数としては、１〜３回に限られないことは当然である。また、第２の特別入賞装置３１では、短時間(例えば０．５秒)の開放を２回だけ行なう「小当り」が別に設定されている。なお、「２ラウンド大当り」が発生する際に図柄表示装置１７に表示される表示態様と、「小当り」が発生する際に図柄表示装置１７に表示される表示態様とを同一または近似させるよう設定されており、図柄表示装置１７の表示態様から区別することは困難または不可能となるようしてある。
【００２７】
また、前記枠状装飾体２８には、図１〜図３に示すように、前記第２の特別入賞装置３１の特別入賞口３１ａに連通する球案内通路３２が、該枠状装飾体２８の内周側に形成されている。更に、前記枠状装飾体２８の開口上縁部には、前記球案内通路３２を通過するパチンコ球を検出する球検出センサが設けられており、該球検出センサがパチンコ球を検出することで、所定数(例えば１０個)のパチンコ球が賞球として払い出されるようになっている。すなわち、前記第２の特別入賞装置３１の特別入賞口３１ａに入賞したパチンコ球は、前記球案内通路３２を通過する過程で球検出センサに検出される。
【００２８】
前記球案内通路３２は、図２に示すように、前記第２の特別入賞装置３１の特別入賞口３１ａに連通して前記枠状装飾体２８の開口左側縁部に沿って延在すると共に、前記ステージ２９の上方において枠状装飾体２８の開口左下部から開口右下部に向けて延在する湾曲形状に形成されている。そして、前記第２の特別入賞装置３１の特別入賞口３１ａに入賞して前記球案内通路３２に沿って転動したパチンコ球が、該枠状装飾体２８の開口右下部に位置する球案内通路３２の下流端部から放出されて、前記裏ユニット３５に設けられた球回収通路(図示せず)に流入し、パチンコ機１０の裏側に設けられた球回収部に回収されるようになっている。
【００２９】
また、図２に示すように、前記枠状装飾体２８の下部位置には、前記ステージ２９および球案内通路３２の後端部に連設する遮蔽板３３が、該ステージ２６と球案内通路３２とが上下に重なる領域全体に設けられている。ここで、前記遮蔽板３３は、透明な合成樹脂材により形成されると共に略全面に光拡散加工が施されており、前記ステージ２９と球案内通路３２との間から透明板２１の裏側を視認し得ないよう構成されると共に、前記裏ユニット３５に配設された可動演出装置４０のＬＥＤ基板５８(後述)の光が遮蔽板３３に照射されて明輝されるようになっている。
【００３０】
(裏ユニット３５について)
前記裏ユニット３５は、図３または図４に示すように、前記透明板２１の外郭形状と略整合する大きさおよび形状に形成されると共に前方に開口する箱枠状に形成されて、該裏ユニット３５の開口前端部を透明板２１の裏面に当接させた状態で、透明板２１と裏ユニット３５とが連結固定される。そして、前記裏ユニット３５には、前記透明板２１との間に画成される空間に、各種の装飾部材３６や可動演出装置４０、球排出装置３７が配設されている。また、前記裏ユニット３５には、略矩形状の開口部３５ａが前後に開口するよう開設されると共に、該裏ユニット３５の裏側に前記図柄表示装置１７が着脱自在に取り付けられており、該開口部３５ａを介して図柄表示装置１７が透明板２１の前側から視認し得るようになっている。なお、図柄表示装置１７としては、液晶表示装置やドラム式の表示装置、ベルト式の表示装置等の各種図柄を変動表示可能な従来公知の表示装置を用いることができる。
【００３１】
(可動演出装置４０について)
前記可動演出装置４０は、図４〜図６に示すように、前記裏ユニット３５に取り付けられるベース部材４１と、該ベース部材４１の前面側に回転可能に支持された可動部材７０と、当該ベース部材４１に設けられて可動部材７０を駆動する駆動モータ(駆動手段)５０と、該駆動モータ５０および可動部材７０を連繋接続する伝達手段５２,５３,５４とを備え、該駆動モータ５０を駆動することで、伝達手段５２,５３,５４を介して可動部材７０が回転動作されるようになっている。ここで、前記ベース部材４１は、後方に開口する前ケース体４２と、該前ケース体４２の後方開口を閉成する後ケース体４７とから内部に収容空間４８(図５または図１９参照)が画成された横長箱状に形成されて、前記裏ユニット３５に開設された開口部３５ａの下方に位置するようベース部材４１が配設されている。このとき、前記ベース部材４１の前ケース体４２が、前記枠状装飾体２８に設けられた遮蔽板３３に対向するよう構成される。なお、前記ベース部材４１は、透明な合成樹脂材により形成されて、該ベース部材４１の内部(すなわち収容空間４８)を前側から視認し得るよう構成されている。
【００３２】
前記ベース部材４１の前ケース体４２には、図６に示すように、前後に貫通する軸孔４２ａが形成されており、該軸孔４２ａに前記可動部材７０の回転軸７０ａを挿通することで、可動部材７０がベース部材４１に対して回転可能に支持されている。また、前記後ケース体４７には、前記軸孔４２ａよりも左下方に離間した位置に前後に貫通する通孔４７ａが形成され、該通孔４７ａに駆動軸５０ａを後方から挿通する姿勢で、前記駆動モータ５０が後ケース体４７の後面側に取り付けられている。なお、前記軸孔４２ａは、前記ベース部材４１を裏ユニット３５に取り付けた状態で、前記始動入賞装置２４の入賞口の上方に位置している。
【００３３】
前記伝達手段５２,５３,５４は、前記後ケース体４７に形成した通孔４７ａに挿通された前記駆動モータ５０の駆動軸５０ａに取り付けられる駆動歯車５２と、前記ベース部材４１に軸支されて該駆動歯車５２に噛合する従動歯車５３と、前記前ケース体４２に形成した軸孔４２ａに挿通された前記可動部材７０の回転軸７０ａに取り付けられ、該従動歯車５３に噛合する回転軸歯車５４とからなり、駆動モータ５０の駆動により駆動歯車５２を正逆回転させることで、従動歯車５３および回転軸歯車５４を介して可動部材７０が回転軸７０ａを中心として正逆回転するよう構成されている。また、前記従動歯車５３の外周面には、図６または図９に示すように、該従動歯車５３の回転支軸５３ａを中心として径方向外方に扇状に延出する位置検出片５５が形成されると共に、前記ベース部材４１の収容空間４８には、該位置検出片５５を検出する位置検出センサ５６が配設されており、該位置検出片５５の回転位置を位置検出センサ５６で検出することで、前記可動部材７０の初期位置(図５の実線または図９(a)参照)および可動位置(図５の２点鎖線または図９(b)参照)を識別するようになっている。具体的には、従動歯車５３の回転に伴って回転する位置検出片５５の回転方向の一方の端部を前記位置検出センサ５６が検出することで可動部材７０の初期位置が識別され、従動歯車５３の回転に伴って回転する位置検出片５５の回転方向の他方の端部を位置検出センサ５６が検出することで可動部材７０の可動位置が識別されるよう構成されている(図９参照)。
【００３４】
図６または図８に示すように、前記ベース部材４１には、前記軸孔４２ａの上方側に、該軸孔４２ａと同心となる円弧状の開口部４３(以下円弧状開口部という)が開設されている。前記円弧状開口部４３は、前記軸孔４２ａの左方から上方、更に右方へ至る間に亘って形成されている。また、前記前ケース体４２の前面には、前記可動部材７０を初期位置で位置規制する初期位置規制突部４５および可動部材７０を可動位置で位置規制する可動位置規制突部４６が夫々突設されている。なお、前記初期位置規制突部４５は、図５または図８において前記軸孔４２ａの左下方に位置し、前記可動位置規制突部４６は、軸孔４２ａの右下方に位置している。
【００３５】
(ＬＥＤ基板５８)
また、図６に示すように、前記ベース部材４１に画成される収容空間４８には、前面にＬＥＤ(発光体)５９,６０が実装されたＬＥＤ基板５８が配設されると共に、該ＬＥＤ基板５８に実装されたＬＥＤ５９,６０の光の照射範囲を区画する区画部材６１が配設される。前記ＬＥＤ基板５８は、前記ベース部材４１(前ケース体４２)に形成された前記円弧状開口部４３を介してベース部材４１の前方に露出する円弧状部５８ａと、該円弧状部５８ａの左右端部に連続して形成され前記前ケース体４２に対向する本体板部５８ｂとを一体に備え、該円弧状部５８ａおよび本体板部５８ｂの夫々に前記ＬＥＤ５９,６０が設けられている。なお、前記円弧状部５８ａに設けられたＬＥＤを第１のＬＥＤ５９と指称し、本体板部５８ｂに設けられたＬＥＤを第２のＬＥＤ６０と指称する。
【００３６】
前記第１および第２のＬＥＤ５９,６０の夫々は、前記可動部材７０の回転軸７０ａの延在方向(すなわち前方)に光を照射するよう実装されており、第１のＬＥＤ５９からの光は、前記円弧状開口部４３を介してベース部材４１の前方に照射されると共に(図８または図１５〜図１９参照)、前記第２のＬＥＤ６０からの光は、前記前ケース体４２を透過してベース部材４１の前方に照射されるようになっている。すなわち、前記円弧状開口部４３を介してベース部材４１の前方に照射された第１のＬＥＤ５９からの光は、前記可動部材７０(後述の基部７１)に照射されると共に、前記前ケース体４２を透過した第２のＬＥＤ６０からの光は、前記可動演出装置４０(ベース部材４１)の前方に位置する前記遮蔽板３３に照射されて、該遮蔽板３３を明輝するようになっている。
【００３７】
(区画部材６１について)
前記区画部材６１は、図６または図７に示すように、前記ベース部材４１(前ケース体４２)に形成された円弧状開口部４３に嵌合可能な円弧形状に湾曲形成された円弧状本体部６２と、該円弧状本体部６２の外周面に形成され、該外周面から径方向外方に突出する第１支持突部６３,６３と、当該円弧状本体部６２の円弧内周面に形成され、該内周面から径方向内方に突出する第２支持突部６４と、該円弧状本体部６２の後端部に形成されて後方に突出し、前記ＬＥＤ基板５８の前面に当接する支持片６５とを備えている。すなわち、前記区画部材６１は、前記ベース部材４１(前ケース体４２)の円弧状開口部４３に前記円弧状本体部６２を後方から嵌合させて、円弧状開口部４３の外周縁部に前記第１支持突部６３,６３を当接させると共に、当該円弧状開口部４３の内周縁部に前記第２支持突部６４を当接させた状態で前記ＬＥＤ基板５８を前ケース体４２に固定することで、ＬＥＤ基板５８の前面に前記支持片６５が当接して、区画部材６１が前ケース体４２とＬＥＤ基板５８との間に挟持固定されるようになっている。なお、実施例では、前記円弧状本体部６２の後端部よりも後方まで前記第１支持突部６３,６３が突出しており、該第１支持突部６３もＬＥＤ基板５８の前面に当接するようになっている。
【００３８】
更に、図６〜８、図１５〜図１９に示すように、前記区画部材６１の円弧状本体部６２には、前記可動部材７０の回転軸７０ａの延在方向(前後方向)に開口する複数の発光体収容部６７が開設されている。具体的には、前記円弧状本体部６２には、前記可動部材７０の回転方向に離間して設けられた２つの仕切り壁６６,６６によって区画された３つの発光体収容部６７が形成されており、前ケース体４２とＬＥＤ基板５８との間に区画部材６１を挟持固定した状態で、該ＬＥＤ基板５８の円弧状部に設けられた前記第１のＬＥＤ５９が各発光体収容部６７の後方開口部に１個ずつ臨むようになっている(図８等参照)。
【００３９】
すなわち、前記ＬＥＤ基板５８の第１のＬＥＤ５９を発光した際に、各第１のＬＥＤ５９に対応した発光体収容部６７の開口を介して、前方(具体的には、後述する可動部材７０の第１反射面７８)に向けて光が照射される。ここで、図１９に示すように、前記各仕切り壁６６,６６は、前記第１のＬＥＤ５９よりも前方に位置して、各第１のＬＥＤ５９の発光時に、隣接する発光体収容部６７に光が入射し得るようになっている。
【００４０】
(可動部材７０について)
前記可動部材７０は、図６、図１０〜図１３に示すように、後方に開口する円筒状の基部７１と、該基部７１から径方向外方に延在すると共に後方に開口し、所要の装飾がなされた装飾体としての針状部７２と、当該基部７１の裏側に設けられて前記第１のＬＥＤ５９からの光を針状部７２の延在方向に向けて反射する第１反射部材７５と、当該針状部７２の裏側に設けられて第１反射部材７５で反射された光を針状部７２の前面裏側に向けて反射する第２反射部材８０と備えている。すなわち、前記基部７１および針状部７２の夫々は、前面を向く前面部７１ａ,７２ａと、各前面部７１ａ,７２ａの外周縁から後方に演出した外側面７１ｂ,７２ｂとから形成されて、該基部７１ａの前面部７１ａに、所要の意匠を表した略円板状の非光透過性の装飾板７９が取り付けられている。なお、前記装飾板７９には、前後に貫通する通孔７９ａが形成されている。また、前記基部７１の外周面７１ｂおよび針状部７２の外側面７２ｂは、後方に向けて拡開するよう形成されている。更に、前記基部７１と針状部７２とは、切欠部７１ｃを介して連通している。
【００４１】
また、前記基部７１および針状部７２の夫々は、透明な合成樹脂により形成されると共に、該基部７１および針状部７２の前面部７１ａ,７２ａの一部および外側面７１ｂ,７２ｂの表面全体が遮光性の塗装等により形成された非光透過部７４が設けられている。すなわち、前記基部７１の前面部７１ａにおいて前記装飾板７９で覆われていない透明な樹脂部分が露出した領域および針状部７２の前面部７２ａにおいて非光透過部７４が形成されていない透明な樹脂部分が露出した領域が光透過部７３として機能し、該基部７１の前面部７１ａに設けられた光透過部７３を介して前記第１のＬＥＤ５９からの光の一部が可動部材７０の前方に透過され、該針状部７２の前面部７２ａの光透過部７３を介して前記第２反射部材８０で反射された光が可動部材７０の前方に透過させるようになっている。具体的には、前記基部７１では、前記装飾板７９の外周部および該装飾板７９の通孔７９ａを介して透明な樹脂部分が露出して光透過部７３を形成するよう構成され、前記針状部７３では、長手方向に延在する３本の光透過部７３が略平行に延在するよう形成されている。なお、図１２(a)には、実施例において前記可動部材７０(基部７１および針状部７２)の光透過部７３となる部分に斜線を付してある。
【００４２】
図１１または図１２に示すように、前記ベース部材４１の軸孔４２ａに挿通される前記回転軸７０ａは、前記可動部材７０の基部７１の前面部７１ａの中央位置に、後方に延在するよう固定されており、前記駆動モータ５０の駆動により針状部７２が回転軸７０ａを中心として回転するようになっている。ここで、前記可動部材７０が初期位置にある姿勢では、図５に実線で示すように前記針状部７２が左方向に傾倒して略水平に延在すると共に、可動位置にある姿勢では、図５に２点鎖線で示すように、針状部７２が右方向に傾倒して略水平に延在するようになっており、前記駆動モータ５０の駆動に伴って可動部材７０が図５の右回りに回転することで初期位置から可動位置に姿勢変化し、反対に図５の左回りに可動部材７０が回転することで可動位置から初期位置に姿勢変化するよう構成されている。また、前記初期位置では、前記ベース部材４１に形成された前記初期位置規制突部４５の上端部に針状部７２の外側面７２ｂが当接して図５における左回りへの可動部材７０の回転が規制され(図５または図１５参照)、前記可動位置では、ベース部材４１に形成された可動位置規制突部４６の上端部に針状部７２の外側面７２ｂが当接して図５における右回りへの可動部材７０の回転が規制されるようになっている（図５または図１６参照）。
【００４３】
前記第１反射部材７５は、図１０〜図１２に示すように、前記基部７１に固定される固定部７６と、前記切欠部７１ｃに臨み、可動部材７０の回転方向に離間して対向位置する一対の位置決め片７７,７７と、該位置決め片７７,７７の間に形成された第１反射面(第１反射部)７８とから構成されている。ここで、前記基部７１の前面部７１ａの半径は、前記回転軸７０ａから前記円弧状開口部４３の外周側開口縁までの寸法よりも大きく設定され、該円弧状開口部４３(区画部材６１)が基部７１で常に覆われており、円弧状開口部４３(区画部材６１)と前後に整列する位置に、前記第１反射面７８が設けられている(図１７参照)。すなわち、前記可動部材７０の回転に伴って第１反射面７８が前記区画部材６１に形成された各発光体収容部６７の開口部の前方に順次臨むことで、各発光体収容部６７の開口部を透過した第１のＬＥＤ５９の光を第１反射面７８で反射し得るようになっている。
【００４４】
ここで、前記第１反射面７８は、前記第１反射部材７５の後端部から前方に向かうにつれて回転軸７０ａから一様に離間するよう傾斜する平面状に形成された傾斜部７５ａに設けられて、回転軸７０ａの後方側から入射した光を、当該回転軸７０ａの交差方向に反射するよう構成されている。ここで、前記第１反射面７８は、前記可動部材７０の切欠部７１ｃに臨んでおり、前記第１のＬＥＤ５９からの第１反射面７８に照射された光を、該切欠部７１ｃを介して前記針状部７２(第２反射部材８０)に向けて可動部材７０の回転軸７０ａに交差する方向(回転軸７０ａに略直交する方向)へ反射される。また、前記第１反射面７８は、前記回転軸７０ａの後端側から視た状態で、前記区画部材６１に形成された１つの発光体収容部６７の開口部に略整合する大きさに形成されており、前記可動部材７０が回転動作することで、発光体収容部６７の開口部に個別的に順次臨んで、各発光体収容部６７に臨む第１のＬＥＤ５９からの光を前記針状部７２(第２反射部材８０)に向けて反射する。すなわち、前記可動部材７０が回転時に、前記第１反射面７８の後方に位置する第１のＬＥＤ５９(例えば図１７では中央に位置する第１のＬＥＤ５９)からの光が針状部７２(第２反射部材８０)に向けて反射され、該第１反射面７８の後方に位置していない第１のＬＥＤ５９(例えば図１７では左右に位置する第１のＬＥＤ５９)からの光が前記基部７１の前面部７１ａの裏側に照射されて、該前面部７１ａの各光透過部７３を介して前方に光が透過するようになっている。なお、前記第１反射面７８は、前記傾斜部７５ａに反射シートを貼付することで形成されている。
【００４５】
図１０、図１１または図１３に示すように、前記第２反射部材８０は、前記針状部７２の前面裏側に略整合する形状に形成されて前記光透過部に対向する後板部８１と、該後板部８１の外周縁から前方に向けて延出する外壁部８３と、当該後板部８１の前面に設けられ、前記第１反射部材７５の第１反射面７８で反射された光を光透過部７３に向けて反射する反射面部(第２反射部)８２とを備えた前方に開口する箱状に形成されている。そして、前記第２反射部材８０は、該第２反射部材８０における回転軸７０ａ側の端部を、前記第１反射部材７５の位置決め片７７,７７の間に嵌合させた状態で、前記針状部７２の裏側に固定されるようになっている。
【００４６】
ここで、前記第２反射部材８０は、透明な合成樹脂材により形成されて、前記後板部８１の外面側(後面)および外壁部８３において前記針状部７２の外側面７２ｂに対向する外面に、内側に向けて光を反射する光反射加工が施されている。すなわち、前記第２反射部材８０の外壁部８３において、前記第１反射部材７５(第１反射面７８)との対向面には光反射加工が施されておらず、第１反射面７８で反射された光が第２反射部材８０の内側(針状部７２の前面裏側と第２反射部材８０の反射面部８２との間)に入射し得るようになっている。なお、前記光反射加工としては、白色塗装や金属メッキ加工、鏡面状のシール貼付、その他光を反射可能な従来公知の加工を採用し得る。以下の説明において、前記第１反射部材７５(第１反射面７８)に対向する第２反射部材８０の外周壁部を透過壁部８３ａと指称する。
【００４７】
また、図１０、図１３、図１４または図１９に示すように、前記第２反射部材８０に形成される反射面部８２には、前記第１反射面７８から離間するにつれて前記光透過部７３側に近接するよう傾斜した第２反射面(反射面)８２ａが複数形成されており、前記第１反射面７８で反射された光を、前記光透過部７３に向けて各第２反射面８２ａで反射するようになっている。すなわち、前記各第２反射面８２ａは、前記第１反射面７８からの反射光の照射方向との交差方向に延在すると共に、該反射光の照射方向に並列に形成される。従って、前記反射面部８２は、図１３、図１４または図１９に示すように、前記第１反射面７８からの反射光の照射方向に破断した断面が鋸刃状を呈している。
【００４８】
前記第２反射部材８０の後板部８１は、図１３または図１４に示すように、前記第１反射部材７５(第１反射面７８)側の端部から離間するにつれて前記光透過部７３側に近接するよう傾斜している。そして、前記第１反射部材７５(第１反射面７８)から離間するにつれて、前記第２反射面８２ａの前端部から光透過部７３までの距離Ｌ(図１４参照)が漸減するよう形成される。これにより、前記第２反射部材８０において第１反射部材７５(第１反射面７８)から離間する端部に位置する反射面部８２(各第２反射面８２ａ)まで第１反射面７８からの反射光が到達し、前記反射面部８２(各第２反射面８２ａ)の全体で光を反射し得るようになっており、前記光透過部７３の全体を略均一な明るさで明輝させ得るようになっている。
【００４９】
また、図１０、図１１または図１３に示すように、前記第２反射部材８０の内側(光透過部７３と反射面部８２との間)には、該第２反射部材８０の内部形状に略整合する形状に形成された板状の透明部材８５が配設されている。前記透明部材８５には、前記第２反射部材８０の反射面部８２(第２反射面８２ａ)との対向面の全体に光拡散部８５ａが形成されると共に、該透明部材８５の端面が第２反射部材８０の透過壁部８３ａに対向するよう構成されている。すなわち、前記第２反射部材８０の透過壁部８３ａを介して前記第１反射面７８に前記透明部材８５の端面が対向し、該第１反射面７８で反射されて透過壁部８３ａを透過した光が透明部材８５に入射するようになっている。なお、前記光拡散部８５ａとしては、前記透明部材８５に対してダイヤカットやローレット加工等の光拡散加工を施してもよく、また透明部材８５に対して光拡散シートを貼付するようにしてもよい。
【００５０】
また、前記透明部材８５における光拡散部８５ａの形成面は、図１３に示すように、前記第１反射面７８に近接する端部から離間するにつれて前記光透過部７３側に近接するよう傾斜形成されており、該透明部材８５における光拡散部８５ａの形成面が、前記第２反射面８２ａの前端部を結んだ線と略平行になるよう構成される。従って、前記透過壁部８３ａを透過して透明部材８５に入射した光が、光拡散部８５ａで拡散されて反射面部８２(各第２反射面８２ａ)の全体に照射されるようになっている。
【００５１】
従って、前記可動部材７０では、前記透明部材８５に入射して前記光拡散部８５ａで拡散された光が前記第２反射部材８０の反射面部８２(第２反射面８２ａ)で反射され、更に反射面部８２(第２反射面８２ａ)からの反射光が光拡散部８５ａで拡散された後に前記針状部７２の光透過部７３に照射されるようになっている。これにより、前記第１反射面７８からの反射光が、第２反射部材８０の反射面部８２(第２反射面８２ａ)の全体に照射され、前記光透過部７３の全体が略均一な明るさで明輝される。
【００５２】
〔実施例の作用〕
次に、前述のように構成された実施例に係るパチンコ機１０の作用につき説明する。
【００５３】
前記遊技盤２０に設けた内外のレール２２ａ,２２ｂに沿って遊技領域２３に打ち出されたパチンコ球は、遊技盤２０上に設けた遊技釘等に接触して流下方向を変更しながら流下する。そして、前記遊技領域２３を流下するパチンコ球が前記始動入賞装置２４に入賞すると、前記図柄表示装置１７において所要の図柄変動演出が開始され、図柄変動演出の結果、図柄表示装置１７に所定の図柄組み合わせが表示されると大当りが発生する。大当りが発生すると、図柄表示装置１７に表示された図柄組み合わせに応じて、前記遊技盤２０の下方に設けられた第１の特別入賞装置２５および前記枠状装飾体２８の上部位置に設けられた第２の特別入賞装置３１の何れかが開放されると共に、図柄表示装置１７において大当り演出が行なわれる。このように、大当りの発生時に開放する特別入賞装置２５,３１を２つ設けたことで、遊技演出の多様化が図られる。更に、図柄変動演出の結果、図柄表示装置１７に小当りを発生する図柄組み合わせが表示されると小当りが発生して、第２の特別入賞装置３１の特別入賞口３１ａが開放されると共に、図柄表示装置１７において小当り演出が行なわれる。すなわち、大当りとは別に小当りを設けることで、遊技演出の更なる多様化を図り得る。
【００５４】
そして、前記図柄表示装置１７で展開される図柄変動演出や大当り演出、小当り演出等に応じて前記裏ユニット３５に配設された前記可動演出装置４０が作動されて可動部材７０の動作による演出が行なわれる。すなわち、前記可動演出装置４０に設けられた駆動モータ５０が駆動されることで、前記可動部材７０が初期位置から可動位置に向けて回転動作され、動作終了時に駆動モータ５０の駆動により初期位置に可動部材７０が復帰するようになっている。このとき、図柄表示装置１７で展開される演出内容に応じて初期位置からの可動部材７０の回転角度を適宜変更するよう駆動モータ５０が作動制御されて、可動部材７０の動作による遊技性の多様化を図り、遊技の興趣を高めている。ここで、前記可動部材７０が初期位置にある状態では、前記ベース部材４１の初期位置規制突部４５に当接して位置規制され、可動部材７０が可動位置にある状態では、ベース部材４１の可動位置規制突部４６に当接して位置規制されることで、可動部材７０を所定の初期位置および可動位置で確実に停止させ得るようになっている。
【００５５】
また、前記可動演出装置４０は、前記ベース部材４１の収容空間４８に収容したＬＥＤ基板５８に実装した第１のＬＥＤ５９が前記区画部材６１に形成された各発光体収容部６７の後方開口に臨むと共に、該ＬＥＤ基板５８に実装された第２のＬＥＤ６０がベース部材４１の前ケース体４２を介して前記枠状装飾体２８の遮蔽板３３に対向している。従って、前記区画部材６１の各発光体収容部６７の開口部３５ａを覆う前記可動部材７０に向けて第１のＬＥＤ５９の光が照射されると共に、前記ベース部材４１の前ケース体４２を透過した第２のＬＥＤ６０の光が遮蔽板３３に照射される。これにより、前記遮蔽板３３が明輝されて、パチンコ機１０の装飾性が向上される。
【００５６】
また、前記発光体収容部６７の開口部３５ａの前方には、前記可動部材７０に設けられた第１反射部材７５の第１反射面７８が位置しているから、該発光体収容部６７を透過した第１のＬＥＤ５９からの光は、該第１反射面７８により針状部７２の形成方向(可動部材７０の回転軸７０ａに交差する方向)に向けて反射される。そして、前記第１反射面７８で反射された反射光が、前記第２反射部材８０の透過壁部８３ａを透過して前記透明部材８５に入射し、該透明部材８５の光拡散部８５ａで拡散された拡散光が第２反射部材８０の反射面部８２(各第２反射面８２ａ)で前記針状部７２の光透過部７３に向けて反射される。このとき、この反射面部８２(各第２反射面８２ａ)で反射された反射光は、該反射面部８２(各第２反射面８２ａ)に対向する前記透明部材８５の光拡散部８５ａで拡散されつつ、前記光透過部７３に照射される。
【００５７】
前記透明部材８５に入射した第１反射面７８で反射された反射光は、該透明部材８５の光拡散部８５ａで拡散されて第２反射部材８０の反射面部８２(各第２反射面８２ａ)に照射される。このため、前記反射面部８２(各第２反射面８２ａ)に対して全面的に光が照射されるから、反射面部８２(各第２反射面８２ａ)の全体で光を反射することになる。更に、前記反射面部８２(各第２反射面８２ａ)からの反射光が透明部材８５の光拡散部８５ａで更に拡散されることで、可動部材７０の光透過部７３の全体を照明することが可能となる。すなわち、第１のＬＥＤ５９により可動部材７０の光透過部７３の全体を照明することができ、光透過部７３に照明斑が現れるのを防止して、略均一の明るさで明輝させることができる。
【００５８】
そして、前記発光体収容部６７は、図１５〜図１８に示すように、前記区画部材６１に対して可動部材７０の回転方向に離間する複数箇所(実施例では３つ)に形成され、可動部材７０の回転に伴って前記第１反射面７８が発光体収容部６７の開口部３５ａに順次臨むよう構成したから、可動部材７０を回転させたとしても、第１反射面７８が臨む発光体収容部６７に収容された第１のＬＥＤ５９を発光させることで可動部材７０の光透過部７３を明輝させることができる。すなわち、可動部材７０自体にＬＥＤ等の発光体を設けることなく該可動部材７０の光透過部７３を発光させ得るから、可動部材７０の軽量化や小型化を図り得る。また、可動部材７０に発光体を備えた場合には、発光体に接続する配線の絡まりや断線を防止するために、可動部材７０の動作や配線の取り回しに制約を受けることになるが、実施例のように、ベース部材４１側に設けた第１のＬＥＤ５９からの光により光透過部７３を発光させることで、配線の絡まりや断線が生ずることはなく、可動部材７０の動作が制限されることはない。
【００５９】
また、図１８に示すように、前記可動部材７０の回転に伴い、前記第１反射面７８が前記区画部材６１の仕切り壁６６,６６の前方に位置した場合には、隣接する２つの発光体収容部６７の開口前方に第１反射面７８が臨む。このため、前記第１反射面７８が前記区画部材６１の仕切り壁６６,６６の前方の位置に可動部材７０が回転移動した場合に、前記光透過部７３の輝度が低下するのを防止することができる。更に、前記区画部材６１は、前記発光体収容部６７を区画する仕切り壁６６,６６を、前記ＬＥＤ基板５８の前面から離間するよう構成されているから、仕切り壁６６,６６とＬＥＤ基板５８との間の隙間から第１のＬＥＤ５９の光が隣接する発光体収容部６７にも入射され、前記可動部材７０の回転に伴った光透過部７３の輝度の低下を防止できる。
【００６０】
そして、前記第２反射部材８０の後板部８１を、前記第１反射部材７５の第１反射面７８に近接する端部から離間するにつれて前記光透過部７３側に近接するよう傾斜させると共に、反射面部８２を構成する第２反射面８２ａの光透過部７３側の端部から光透過部７３までの距離Ｌを、第１反射面７８から離間するにつれて漸減させたことで、第１反射面７８で反射された反射光を、反射面部８２の第１反射面７８から離間する端部側(すなわち針状部７２の先端側)に位置する第２反射面８２ａまで到達させることができる。これにより、前記第１反射面７８で反射された光を反射面部８２の全体に照射することができ、該反射面部８２で反射された光により光拡散部８５ａの全体を均一な明るさで照明し得るようになる。また、実施例では、前記光透過部７３と反射面部８２との間に配置された透明部材８５も、前記第１反射部材７５の第１反射面７８に近接する端部から離間するにつれて前記光透過部７３側に近接するよう傾斜させてあるから、該透明部材８５の光拡散部８５ａで拡散された光が反射面部８２に対して略均一に照射され、可動部材７０の光透過部７３の全体を、より均一な明るさで明輝することが可能となる。
【００６１】
また、前記第２反射部材８０を透明な合成樹脂により形成したことで、前記第２反射面８２ａに照射された光は、該第２反射面８２ａで反射される一方で、一部は第２反射面８２ａを透過することになる。これにより、前記第１反射面７８から離間する端部側(すなわち針状部７２の先端側)に位置する第２反射面８２ａに対して十分な光量で光を照射できるようになる。更に、前記第２反射部材８０の外面(後板部８１および外周壁８３の外面)に光反射加工を施したことで、反射面部８２(第２反射面８２ａ)を透過した光が第２反射部材８０の外部に漏れ出ることを防止すると共に、第１反射面７８からの反射光の全量を光透過部７３に向けて反射することができ、反射効率の向上を図り得る。
【００６２】
〔変更例〕
なお、遊技機の構成としては、実施例のものに限らず、種々の変更が可能である。
(１)  実施例では、前記第２反射部材の反射面部に、前記第１反射部から離間するにつれて前記光透過部側に近接するよう傾斜する第２反射面を、該第１反射部からの反射光の照射方向に複数形成し、該第２反射面の光透過部側の端部から光透過部までの距離を、第１反射部から離間するにつれて漸減させるよう構成したが、これに限られるものではない。例えば、図２０に示すように反射面部８２を平面状に形成すると共に、該反射面部８２自体が第１反射面７８に近接する端部から離間するにつれて光透過部７３側に近接するよう傾斜するよう構成することもできる。この場合も、実施例と同様に、光透過部７３の全体を略均一な明るさで照明することができる。
(２)  実施例では、透明部材における光拡散部の形成面を、第２反射部材の反射面部(第２反射面)に近接させて、該透明部材の光拡散部で拡散された光が反射面部に照射されるよう構成したが、図２１に示すように、透明部材８５における光拡散部８５ａの形成面を、第２反射部材８０の反射面部８２(第２反射面８２ａ)から離間させて、前記第１反射面７８からの反射光を反射面部８２(第２反射面８２ａ)に直接照射させ、該反射面部８２(第２反射面８２ａ)からの反射光を透明部材８５の光拡散部８５ａで拡散して光透過部７３に照射するよう構成することもできる。この場合も、実施例と同様に、光透過部７３の全体を略均一な明るさで照明することができる。
(３)  実施例では、可動演出装置に設けられる区画部材に、３つの発光体収容部を設けるよう構成したが、２つあるいは４つ以上の発光体収容部を形成するようにしてもよい。
(４)  実施例では、区画部材の各発光体収容部に臨む発光体(ＬＥＤ)の発光色を同じにしたが、これに限らず、各発光体収容部に臨む発光体の発光色を異ならせるようにしてもよい。この場合には、可動部材の回転角度に応じて可動部材の光透過部に照射される発光色が変化するから、遊技性をより一層多様化して遊技の興趣を向上することが可能となる。また、可動部材に設けられた第１反射部(第１反射面)が発光体収容部を区画する仕切り壁の前側に位置して、該第１反射部が２つの発光体収容部に臨む場合には、各発光体収容部に臨む発光体の発光色が混ざり合った状態で光透過部に照射することができる。
(５)  実施例では、区画部材の各仕切り壁を発光体よりも前方に位置させて、各発光の発光時に隣接する発光体収容部に光が入射し得るよう構成したが、これに限らず、該仕切り壁を発光体基板に当接させる等により発光体収容部を発光体毎に完全に区画して、隣接する発光体収容部に光が入射し得ないよう構成することもできる。これにより、各発光体収容部の開口部から照射される光の強度を高めることができ、可動部材の光透過部からより強い光を透過させることが可能となる。
(６)  実施例では、可動演出装置を裏ユニットの開口下部に配設するようにしたが、これに限られるものではなく、裏ユニットの開口上部や開口側部に配設してもよく、また、透明板に設けられた枠状装飾体に配設するようにしてもよい。すなわち、可動演出装置は、可動部材の動作を遊技機の前方から視認可能な位置に配設されていればよい。
(７)  実施例では、遊技盤を透明板と裏ユニットとから構成したが、ベニヤ板等により遊技盤を形成してもよい。
(８)  駆動手段の駆動により可動部材を回転させる伝達手段としては、実施例に示した歯車機構に限られるものではなく、ベルト機構やリンク機構、その他従来公知の各種機構を採用し得ることは当然である。
(９)  実施例では、可動部材に対して第１反射部を設けた反射部材(第１反射部材)を取り付けるようにしたが、可動部材に第１反射部を直接設けることも可能である。
(１０)  実施例では、可動部材を支持装置等の指針を模した形状に形成したが、これに限られるものではなく、任意の形状に形成することができる。
(１１)  実施例では、遊技機としてパチンコ機を例示して説明したが、これに限られるものではなく、アレンジボール機やピンボール機、スロットマシン機等の各種遊技機を採用し得る。
【符号の説明】
【００６３】
４０  可動演出装置
５０  駆動モータ(駆動手段)
５９  第１のＬＥＤ(発光体)
６１  区画部材
６７  発光体収容部
７０  可動部材
７３  光透過部
７８  第１反射面(第１反射部)
８２  反射面部(第２反射部)
８５  透明部材
８５ａ  光拡散部
【図１】
2011015755.tif 000003
【図２】
2011015755.tif 000004
【図３】
2011015755.tif 000005
【図４】
2011015755.tif 000006
【図５】
2011015755.tif 000007
【図６】
2011015755.tif 000008
【図７】
2011015755.tif 000009
【図８】
2011015755.tif 000010
【図９】
2011015755.tif 000011
【図１０】
2011015755.tif 000012
【図１１】
2011015755.tif 000013
【図１２】
2011015755.tif 000014
【図１３】
2011015755.tif 000015
【図１４】
2011015755.tif 000016
【図１５】
2011015755.tif 000017
【図１６】
2011015755.tif 000018
【図１７】
2011015755.tif 000019
【図１８】
2011015755.tif 000020
【図１９】
2011015755.tif 000021
【図２０】
2011015755.tif 000022
【図２１】
2011015755.tif 000023